(57)【要約】      （修正有）【課題】デンタルフロスが外れたり切れたりする確率を下げ、便利性を高める柄付きデンタルフロスの構造を提供する。【解決手段】主にプラスティックフレーム２１を含む柄付きデンタルフロス２０の構造である。該プラスティックフレームにコの字開口２２を設け、該コの字開口に高強度、高靱性のデンタルフロス２３を設置し、デンタルフロス２３の両端はプラスティックフレーム２２の外に伸ばし、更にカットして焼いて塊２４を形成する。該二つの塊の直径はデンタルフロス２３の直径より大きいため、該二つの塊がプラスティックフレーム２１の外側に抵触する。上述の構造により、デンタルフロス２３がプラスティックフレーム２１と結合固定することで、外力を受けて外れることなく、ユーザーが便利に歯をきれいにできる柄付きデンタルフロス２０の構造。【選択図】図４
0003186430.tif 000002
【実用新案登録請求の範囲】
【請求項１】
プラスティックフレームを含み、
プラスティックフレームはコの字開口を含み、該コの字開口に高強度、高靱性のデンタルフロスを設け、デンタルフロスの両端をプラスティックフレームの外に伸ばし、カットして焼くことで塊を形成し、該二つの塊の直径はデンタルフロスの直径より大きいため、該二つの塊はプラスティックフレームの外側を抵触し、デンタルフロスはプラスティックフレームのコの字開口と結合固定することができ、
上述の構造により、デンタルフロスがプラスティックフレームと結合固定することで、外力を受けて外れることなく、ユーザーが便利に歯をきれいにできる柄付きデンタルフロスの構造。
【考案の詳細な説明】
【技術分野】
【０００１】
本考案は柄付きデンタルフロスの構造に関し、特にデンタルフロスが外れたり切れたりする確率を下げ、便利性を高める柄付きデンタルフロスの構造に関する。
【背景技術】
【０００２】
食事後に柄付きデンタルフロスを使って、歯と歯の間に残っている食物のカスとプラークを取り除き、歯をきれいに保つ人が多い。
図１に示すように、現在の柄付きデンタルフロス１０は主に一つのプラスティックフレーム１１にコの字開口１２を設け、デンタルフロス１３を該コの字開口１２に設けることで、ユーザーがプラスティックフレーム１１を持って、デンタルフロス１３を使って歯をきれいにすることができる。
【０００３】
上記従来技術の柄付きデンタルフロス１０を成型する際、まず糸を模型の中に設置し、プラスティックフレーム１１の中に射出成型することで、プラスティックフレーム１１のコの字開口１２が結合してデンタルフロス１３を形成し、そしてプラスティックフレーム１１の外に残留する糸をカットして柄付きデンタルフロス１０を形成する。ただ、該糸とプラスティックフレーム１１の材料は異なるため、デンタルフロス１３はただプラスティックフレーム１１に設置してあるだけで、該デンタルフロス１３はプラスティックフレーム１１としっかりと結合して固定することはできない。
また、デンタルフロス１３の両端をプラスティックフレーム１１と切り揃えるため、プラスティックフレーム１１との間にデンタルフロス１３を固定する部品を設けていない。
よって、ユーザーが柄付きデンタルフロス１０を使う際、図２に示すように、デンタルフロス１３は容易に引っ張られてプラスティックフレーム１１から外れ、ユーザーは新しい柄付きデンタルフロス１０と交換するなど、使用する際に不便であり、柄付きデンタルフロス１０を浪費することにもなることを鑑みて、更なる改善が必要であった。
【先行技術文献】
【特許文献】
【０００４】
【特許文献１】実用新案登録第３１７２０８９号公報
【考案の概要】
【考案が解決しようとする課題】
【０００５】
前記公知構造の欠点を解決するため、本考案はデンタルフロスが外れたり切れたりする確率を下げ、便利性を高める柄付きデンタルフロスの構造を提供することを主な課題とする。
【課題を解決するための手段】
【０００６】
前記課題を解決するために、本考案は柄付きデンタルフロスの構造を提供するものである。該プラスティックフレームにコの字開口を設け、該コの字開口に高強度、高靱性のデンタルフロスを設置し、デンタルフロスの両端はプラスティックフレームの外に伸ばし、更にカットして焼いて塊を形成することで、該二つの塊がプラスティックフレームの外側に抵触する。
【０００７】
上述の構造により、デンタルフロスがプラスティックフレームと結合固定することで、外力を受けて外れることなく、ユーザーが便利に歯をきれいにできる柄付きデンタルフロスの構造。
【考案の効果】
【０００８】
本考案はデンタルフロスがプラスティックフレームの外に伸ばした部分をカットして焼く際に熔融して形成する塊がストッパーとなって、デンタルフロスが容易に外力を受けて外れることなく、便利に使用できる上、浪費を減少することができる。
【図面の簡単な説明】
【０００９】
【図１】従来技術の柄付きデンタルフロスの立体略図である。
【図２】従来技術の柄付きデンタルフロスの側視図、およびデンタルフロスがプラスティックフレームから外れる略図である。
【図３】本考案の立体略図である。
【図４】本考案の側視図および部分断面図である。
【考案を実施するための形態】
【００１０】
本考案の目的と技術手段および構造を、図３から図４を参照しながら詳細に説明する。
【実施例】
【００１１】
図３に示すように、実施例の柄付きデンタルフロス２０に含まれるのは、プラスティックフレーム２１である。該プラスティックフレーム２１にコの字開口２２を設け、該コの字開口２２に高強度、高靱性のデンタルフロス２３（例えば高密度ポリエチレンファイバー）を設置し、デンタルフロス２３の両端はプラスティックフレーム２１の外に伸ばし、更にデンタルフロス２３の両端をそれぞれレーザーカットあるいはヒートカットを使ってカットする際に熔融して丸く固まる塊２４を形成し、図３と図４に示すように、該二つの塊２４の直径はデンタルフロス２３の直径より大きいため、該塊２４がプラスティックフレーム２１の外側に抵触する。
【００１２】
上述構造により、デンタルフロス２３の両端をカットして焼いて形成する塊２４がプラスティックフレーム２１の外を抵触することで、デンタルフロス２３がプラスティックフレーム２１のコの字開口２２に結合して固定することができる。
デンタルフロス２３が外力を受けて引っ張られる際、デンタルフロス２３の二つの塊２４がストッパーとなって、プラスティックフレーム２１の外に固定するほか、デンタルフロス２３が外力によって引っ張られて外れることがないため、ユーザーは便利に柄付きデンタルフロス２０を使うができる。
同時にデンタルフロス２３をプラスティックフレーム２１と結合固定することで、ユーザーはデンタルフロス２３が外れたり切れたりすることで、ほかの柄付きデンタルフロス２０に交換して引き続き使用することがなくなり、柄付きデンタルフロス２０を浪費してしまうことが少なくなる。
【００１３】
上述と図式で分かるように、本考案は確かにカットして焼く方法を用いることで、デンタルフロス２３をプラスティックフレーム２１の両端の外側に塊２４を形成し、該塊２４がストッパーとなってプラスティックフレーム２１の外に抵触する。それによりデンタルフロス２３はプラスティックフレーム２１と結合固定するため、外力によって引っ張られて外れることなく、ユーザーは便利に歯をきれいにすることができる。
【００１４】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１５】
１０  柄付きデンタルフロス
１１  プラスティックフレーム
１２  コの字開口
１３  デンタルフロス
２０  柄付きデンタルフロス
２１  プラスティックフレーム
２２  コの字開口
２３  デンタルフロス
２４  塊
【図１】
0003186430.tif 000003
【図２】
0003186430.tif 000004
【図３】
0003186430.tif 000005
【図４】
0003186430.tif 000006